(57)【要約】【課題】所望する番組の録画予約をより確実に行うことができるデジタル放送記録装置を提供する。【解決手段】デジタル放送を受信して放送データを記録するデジタル放送記録装置１００に、物理チャンネルと放送局情報とを関連づけて記憶するチャンネルマップデータファイル１２Ａと、放送局名と予約時刻を指定する入力部６と、入力部６により指定された放送局名に基づいてチャンネルマップデータファイル１２Ａから物理チャンネルを抽出し、抽出した物理チャンネルの予約時刻における放送データをＨＤＤ６に記憶する記憶制御手段（ＣＰＵ１０，録画プログラム１２Ｆ）と、を備えた。【選択図】図２
2007288339.tif 000002
【特許請求の範囲】
【請求項１】
デジタル放送を受信して放送データを記録するデジタル放送記録装置において、
物理チャンネルと放送局名を含む放送局情報とを関連づけて記憶するチャンネルマップ記憶手段と、
デジタル放送により伝送されるＥＰＧデータから物理チャンネルと放送局情報との対応関係を取得して、取得した物理チャンネルと放送局情報との対応関係に基づいて前記チャンネルマップ記憶手段の物理チャンネルと放送局情報とを更新する更新手段と、
放送局名と予約時刻とを表示する予約画面を表示装置に表示させる表示制御手段と、
前記予約画面において放送局名と予約時刻を指定する指定手段と、
前記指定手段により指定された放送局名に基づいて前記チャンネルマップ記憶手段から物理チャンネルを抽出し、前記指定手段により指定された放送局名と、前記チャンネルマップ記憶手段から抽出した物理チャンネルの放送データに含まれる放送局情報の放送局名とを比較して、一致している場合に前記予約時刻における放送データを記憶手段に記憶する記憶制御手段と、
を備えることを特徴とするデジタル放送記録装置。
【請求項２】
デジタル放送を受信して放送データを記録するデジタル放送記録装置において、
物理チャンネルと放送局名を含む放送局情報とを関連づけて記憶するチャンネルマップ記憶手段と、
放送局名と予約時刻を指定する指定手段と、
前記指定手段により指定された放送局名に基づいて前記チャンネルマップ記憶手段から物理チャンネルを抽出し、抽出した物理チャンネルの前記予約時刻における放送データを記憶手段に記憶する記憶制御手段と、
を備えることを特徴とするデジタル放送記録装置。
【請求項３】
デジタル放送により伝送されるＥＰＧデータから物理チャンネルと放送局情報との対応関係を取得して、取得した物理チャンネルと放送局情報との対応関係に基づいて前記チャンネルマップ記憶手段の物理チャンネルと放送局情報とを更新する更新手段と、
を備えることを特徴とする請求項２に記載のデジタル放送記録装置。
【請求項４】
前記記憶制御手段は、
前記指定手段により指定された放送局名と、前記チャンネルマップ記憶手段から抽出した物理チャンネルの放送データに含まれる放送局情報の放送局名とを比較して、一致している場合に前記予約時刻における放送データを記憶手段に記憶することを特徴とする請求項２又は３に記載のデジタル放送記録装置。
【発明の詳細な説明】
【技術分野】
【０００１】
本発明は、デジタル放送記録装置に関する。
【背景技術】
【０００２】
従来、デジタル放送で配信されるＥＰＧデータや各番組を識別するための番組コード等を用いて録画予約を行うものが知られている。例えば、番組コードを指定して番組の録画予約を行うことにより、当該番組の放送予定が変更されても、当該番組コードにより当該番組の実際の放送を検出し、当該番組を録画することができるデジタル放送受信装置が知られている（例えば、特許文献１）。また、定期的にＥＰＧデータを取得して最新の放送スケジュールを取得することにより、録画予約された番組の放送時刻が変更されても、当該最新の放送スケジュールに従って、当該番組を確実に録画することができるデジタル放送記録装置も知られている（例えば、特許文献２）。また、地域毎のＥＰＧデータを取得し、移動前の地域で予約された番組を移動後の地域においても確実に録画することができるデジタル放送記録装置も知られている（例えば、特許文献３）。
【特許文献１】特開平０９−３２６９８７号公報
【特許文献２】特開２００３−３３３４８５号公報
【特許文献３】特開２００４−０２３１１１号公報
【発明の開示】
【発明が解決しようとする課題】
【０００３】
しかしながら、デジタル放送においては、録画予約を行う時点において所望する番組の放送局が使用しているチャンネルと予約時刻とを指定して録画予約を行っても、当該予約時刻において所望する番組の放送局が使用しているチャンネルが変更されている場合があり、所望する番組の録画に失敗することがあるという問題があった。
【０００４】
本発明の課題は、所望する番組の録画予約をより確実に行うことができるデジタル放送記録装置を提供することである。
【課題を解決するための手段】
【０００５】
請求項１に記載の発明は、デジタル放送を受信して放送データを記録するデジタル放送記録装置において、
物理チャンネルと放送局情報とを関連づけて記憶するチャンネルマップ記憶手段と、
デジタル放送により伝送されるＥＰＧデータから物理チャンネルと放送局情報との対応関係を取得して、取得した物理チャンネルと放送局情報との対応関係に基づいて前記チャンネルマップ記憶手段の物理チャンネルと放送局情報とを更新する更新手段と、
放送局名と予約時刻とを表示する予約画面を表示装置に表示させる表示制御手段と、
前記予約画面において放送局名と予約時刻を指定する指定手段と、
前記指定手段により指定された放送局名に基づいて前記チャンネルマップ記憶手段から物理チャンネルを抽出し、前記指定手段により指定された放送局名と、前記チャンネルマップ記憶手段から抽出した物理チャンネルの放送データに含まれる放送局情報の放送局名とを比較して、一致している場合に前記予約時刻における放送データを記憶手段に記憶する記憶制御手段と、
を備えることを特徴としている。
【０００６】
請求項２に記載の発明は、デジタル放送を受信して放送データを記録するデジタル放送記録装置において、
物理チャンネルと放送局情報とを関連づけて記憶するチャンネルマップ記憶手段と、
放送局名と予約時刻を指定する指定手段と、
前記指定手段により指定された放送局名に基づいて前記チャンネルマップ記憶手段から物理チャンネルを抽出し、抽出した物理チャンネルの前記予約時刻における放送データを記憶手段に記憶する記憶制御手段と、
を備えることを特徴としている。
【０００７】
請求項３に記載の発明は、請求項２に記載のデジタル放送記録装置において、
デジタル放送により伝送されるＥＰＧデータから物理チャンネルと放送局情報との対応関係を取得して、取得した物理チャンネルと放送局情報との対応関係に基づいて前記チャンネルマップ記憶手段の物理チャンネルと放送局情報とを更新する更新手段と、
を備えることを特徴としている。
【０００８】
請求項４に記載の発明は、請求項２又は３に記載のデジタル放送記録装置において、
前記記憶制御手段は、
前記指定手段により指定された放送局名と、前記チャンネルマップ記憶手段から抽出した物理チャンネルの放送データに含まれる放送局情報の放送局名とを比較して、一致している場合に前記予約時刻における放送データを記憶手段に記憶することを特徴としている。
【発明の効果】
【０００９】
請求項１に記載の発明によれば、チャンネルマップ記憶手段により、物理チャンネルと放送局名を含む放送局情報とが関連づけられて記憶され、指定手段により、放送局名と予約時刻が指定され、記憶制御手段により、指定手段によって指定された放送局名に基づいてチャンネルマップ記憶手段から物理チャンネルが抽出され、抽出された物理チャンネルの予約時刻における放送データが記憶手段に記憶されるので、録画予約を行う時点と予約時刻の時点とで所望する番組の放送局名が使用しているチャンネルが変更されていても、チャンネルマップ記憶手段から予約時刻の時点における所望する番組の放送局名が使用しているチャンネルが抽出されることとなって、所望する番組の録画予約をより確実に行うことができる。
また、予約の際、チャンネル番号を設定するよりも放送局名を設定する方が分かりやすいというユーザにとっては使いやすいものとなる。
【００１０】
また、更新手段により、デジタル放送によって伝送されるＥＰＧデータから物理チャンネルと放送局情報との対応関係が取得され、取得された物理チャンネルと放送局情報との対応関係に基づいてチャンネルマップ記憶手段の物理チャンネルと放送局情報とが更新されるので、チャンネルマップ記憶手段に記憶される情報をより最新のものに更新することができる。
【００１１】
また、記憶制御手段は、指定手段により指定された放送局名と、チャンネルマップ記憶手段から抽出した物理チャンネルの放送データに含まれる放送局情報の放送局名とを比較して、一致している場合に予約時刻における放送データを記憶手段に記憶するので、万が一、予約時刻におけるチャンネルマップ記憶手段に記憶されている情報が最新のものに更新されていなくても、放送データに含まれる放送局情報により放送局名の確認がなされることとなり、所望する番組とは異なる番組が誤って録画予約されることを防止することができる。
【００１２】
また、表示制御手段により、放送局名と予約時刻とを表示する予約画面が表示装置に表示され、指定手段により、予約画面において放送局名と予約時刻とが指定されるので、ユーザは、予約画面を見ながら容易に放送局名と予約時刻とを選択して指定することができ、より好適に所望する番組の録画予約を行うことができる。
【００１３】
請求項２に記載の発明によれば、チャンネルマップ記憶手段により、物理チャンネルと放送局名を含む放送局情報とが関連づけられて記憶され、指定手段により、放送局名と予約時刻が指定され、記憶制御手段により、指定手段によって指定された放送局名に基づいてチャンネルマップ記憶手段から物理チャンネルが抽出され、抽出された物理チャンネルの予約時刻における放送データが記憶手段に記憶されるので、録画予約を行う時点と予約時刻の時点とで所望する番組の放送局名が使用しているチャンネルが変更されていても、チャンネルマップ記憶手段から予約時刻の時点における所望する番組の放送局名が使用しているチャンネルが抽出されることとなって、所望する番組の録画予約をより確実に行うことができる。
また、予約の際、チャンネル番号を設定するよりも放送局名を設定する方が分かりやすいというユーザにとっては使いやすいものとなる。
【００１４】
請求項３に記載の発明によれば、請求項２に記載の発明と同様の効果が得られるのは勿論のこと、特に、更新手段により、デジタル放送によって伝送されるＥＰＧデータから物理チャンネルと放送局情報との対応関係が取得され、取得された物理チャンネルと放送局情報との対応関係に基づいてチャンネルマップ記憶手段の物理チャンネルと放送局情報とが更新されるので、チャンネルマップ記憶手段に記憶される情報をより最新のものに更新することができる。
【００１５】
請求項４に記載の発明によれば、請求項２又は３に記載の発明と同様の効果が得られるのは勿論のこと、特に、記憶制御手段は、指定手段により指定された放送局名と、チャンネルマップ記憶手段から抽出した物理チャンネルの放送データに含まれる放送局情報の放送局名とを比較して、一致している場合に予約時刻における放送データを記憶手段に記憶するので、万が一、予約時刻におけるチャンネルマップ記憶手段に記憶されている情報が最新のものに更新されていなくても、放送データに含まれる放送局情報により放送局名の確認がなされることとなり、所望する番組とは異なる番組が誤って録画予約されることを防止することができる。
【発明を実施するための最良の形態】
【００１６】
以下、図を参照して、本発明に係るデジタル放送記録装置を実施するための最良の形態を詳細に説明する。
【００１７】
まず、本発明に係るデジタル放送記録装置１００の構成について図１，図２を参照しながら説明する。本実施形態に係るデジタル放送記録装置１００は、例えば、図１，図２に示すように、アンテナ１，チューナ部２，復調部３，デコーダ４，エンコーダ５，ＨＤＤ６，入力部７，ＯＳＤ回路８，制御部９等を備えて構成され、表示装置２００，音出力装置３００等と接続されている。
【００１８】
アンテナ１は、例えば、パラボラアンテナやＵＨＦアンテナ等であり、地上波デジタル放送，ＢＳ・ＣＳ放送等のデジタル放送信号を含む放送波を受信し、地上波デジタル信号，ＢＳ・ＣＳ放送信号等のＲＦ信号をチューナ部２に出力する。なお、ＣＡＴＶ回線を介して放送を受信する場合には、接続ケーブル（図示省略）等が備えられてもよい。
【００１９】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号が、ユーザが所望するチャンネルのＩＦ（Intermediate  Frequency）信号に変換され、Ａ／Ｄ変換回路により、生成されたＩＦ信号がデジタルデータに変換される。
【００２０】
復調部３は、例えば、チューナ部２から入力されるデジタルデータに復調処理等を行って、デコーダ４に出力する。
【００２１】
デコーダ４は、例えば、復調部３から入力されるデジタルデータに復号処理等を行って映像データ，音声データを生成し、表示装置２００，音出力装置３００等に出力する。
【００２２】
エンコーダ５は、デコーダ４からＣＰＵ１０を介して出力される映像データ，音声データに符号化処理を行い、ＨＤＤ６に出力する。
【００２３】
ＨＤＤ６は、例えば、磁気的記録媒体等を備えて構成され、エンコーダ５から入力された映像データ及び音声データを記憶し、記憶手段として機能する。
【００２４】
入力部７は、例えば、各種の操作信号を入力するための各種のキー等を備え、ユーザにより操作されることによって、各種の操作信号を制御部９に出力する。
より具体的には、入力部７は、表示装置２００に表示される予約画面Ｇにおいて放送局名と予約時刻を指定する操作信号を制御部９に出力し、指定手段として機能する。
【００２５】
ＯＳＤ回路８は、例えば、後述するＣＰＵ１０が表示制御プログラム１２Ｄを実行することにより制御されて、予約画面Ｇ等をデコーダ４から出力される映像データに合成して表示装置２００へ出力する。
【００２６】
制御部９は、例えば、図２に示すように、ＣＰＵ（Central  Processing  Unit）１０，ＲＡＭ（Random  Access  Memory）１１，記憶部１２等を備えて構成される。
【００２７】
ＣＰＵ１０は、例えば、記憶部１２に格納された処理プログラム等を読み出して、ＲＡＭ１１に展開して実行することにより、デジタル放送記録装置１００全体の制御を行う。
【００２８】
ＲＡＭ１１は、ＣＰＵ１０により実行された処理プログラム等を、ＲＡＭ１１内のプログラム格納領域に展開するとともに、入力データや上記処理プログラムが実行される際に生じる処理結果等をデータ格納領域に格納する。
【００２９】
記憶部１２は、例えば、プログラムやデータ等が予め記憶されている記録媒体（図示せず）を有しており、この記録媒体は、例えば、半導体メモリ等で構成されている。また、記憶部１２は、ＣＰＵ１０がデジタル放送記録装置１００全体を制御する機能を実現させるための各種データ，各種処理プログラム，これらプログラムの実行により処理されたデータ等を記憶する。より具体的には、記憶部１２は、例えば、図２に示すように、チャンネルマップデータファイル１２Ａ，予約データファイル１２Ｂ，更新プログラム１２Ｃ，表示制御プログラム１２Ｄ，予約プログラム１２Ｅ，録画プログラム１２Ｆ等を格納している。
【００３０】
チャンネルマップデータファイル１２Ａは、例えば、物理チャンネルと放送局名を含む放送局情報とを関連づけて記憶している。ここで、放送局名とは、例えば、ＡＢＣ等の放送局よりも細かく分類された放送局名を指し、メインチャンネル及びサブチャンネルに対応する放送局名を表す。より具体的には、ＡＢＣ−Ｎｅｗｓ，ＡＢＣ−Ｋｉｄｓ等を表す。記憶部１２は、チャンネルマップデータファイル１２Ａを格納することにより、チャンネルマップ記憶手段として機能する。
【００３１】
予約データファイル１２Ｂは、例えば、予約画面Ｇにおいて、入力部７がユーザにより制御されることにより指定された放送局名と予約時刻とを対応づけて記憶している。
【００３２】
更新プログラム１２Ｃは、例えば、ＣＰＵ１０に、デジタル放送により伝送されるＥＰＧ（Electric  program  Guide）データから物理チャンネルと放送局情報との対応関係を定期的に取得して、取得した物理チャンネルと放送局情報との対応関係に基づいて、チャンネルマップデータファイル１２Ａの物理チャンネルと放送局情報とを更新する機能を実現させるプログラムである。
より具体的には、更新プログラム１２Ｃは、例えば、ＣＰＵ１０に、前回チャンネルマップの更新を行ってから所定時間経過したか否かを判断し、前回チャンネルマップの更新を行ってから所定時間経過したと判断した場合に、チューナ部２，復調部３，デコーダ４を制御して、アンテナ１から出力される放送信号からＥＰＧデータを取得させ、当該ＥＰＧデータから、物理チャンネルと放送局情報との対応関係を取得し、取得した物理チャンネルと放送局情報との対応関係に基づいて、チャンネルマップデータファイル１２Ａの物理チャンネルと放送局情報とを更新し、計時を開始する機能を実現させるプログラムである。
ＣＰＵ１０は、かかる更新プログラム１２Ｃを実行することにより、更新手段として機能する。
【００３３】
表示制御プログラム１２Ｄは、例えば、ＣＰＵ１０に、放送局名と予約時刻とを表示する予約画面Ｇを表示装置２００に表示させる機能を実現させるプログラムである。
より具体的には、表示制御プログラム１２Ｄは、例えば、ＣＰＵ１０に、ＯＳＤ回路８を制御して、予約画面Ｇをデコーダ４から出力される映像データに合成し、合成した映像データを表示装置２００に出力し、表示装置２００に当該予約画面Ｇを表示させる機能を実現させるプログラムである。
ＣＰＵ１０は、かかる表示制御プログラム１２Ｄを実行することにより、表示制御手段として機能する。
【００３４】
予約プログラム１２Ｅは、例えば、ＣＰＵ１０に、入力部７がユーザにより操作されることによって、表示装置２００の表示部に表示された予約画面Ｇにおいて、放送局名と予約時間とを指定する操作信号が入力された場合に、当該放送局名と予約時間とを対応づけて、予約データファイル１２Ｂに記憶させる機能を実現させるプログラムである。
【００３５】
録画プログラム１２Ｆは、例えば、ＣＰＵ１０に、予約データファイル１２Ｂに記憶されている放送局名に基づいて、チャンネルマップデータファイル１２Ａから当該放送局名に対応する物理チャンネルを抽出し、抽出した物理チャンネルの予約時間における当該放送局名の番組をＨＤＤ６に記憶することにより録画する機能を実現させるプログラムである。
より具体的には、録画プログラム１２Ｆは、例えば、ＣＰＵ１０に、予約データファイル１２Ｂに記憶されている放送局名に基づいて、チャンネルマップデータファイル１２Ａから当該放送局名に対応する物理チャンネルを抽出し、予約データファイル１２Ｂに記憶されている放送局名と、抽出した物理チャンネルの放送データに含まれる放送局情報の放送局名とを比較して、一致している場合に、抽出した物理チャンネルの予約時刻における放送データをＨＤＤ６に記憶することにより録画する機能を実現させるプログラムである。
ＣＰＵ１０は、かかる録画プログラム１２Ｆを実行することにより、記憶制御手段として機能する。
【００３６】
表示装置２００は、例えば、ＬＣＤ（Liquid  Crystal  Display）やＰＤＰ（Plasma  Display  Panel）等の表示部等を備えて構成され、デコーダ４から出力される映像データやデコーダ４から出力された映像データにＯＳＤ回路８により予約画面Ｇが合成された映像データに基づく映像を表示部に表示する。
【００３７】
音出力装置３００は、例えば、スピーカ等を備えて構成され、デコーダ４から出力される音声データに基づく音声を出力する。
【００３８】
次に、上述のような構成のデジタル放送記録装置１００のチャンネルマップ更新動作について図３に示すフローチャートを参照しながら説明する。
まず、ＣＰＵ１０は、更新プログラム１２Ｃを実行することにより、前回チャンネルマップの更新を行ってから所定時間経過したか否かを判断する（ステップＳ１）。
【００３９】
ステップＳ１において、ＣＰＵ１０が、前回チャンネルマップの更新を行ってから所定時間経過していないと判断した場合には（ステップＳ１；Ｎｏ）、ＣＰＵ１０は、ステップＳ１の処理を繰り返す。
ステップＳ１において、ＣＰＵ１０が、前回チャンネルマップの更新を行ってから所定時間経過したと判断した場合には（ステップＳ１；Ｙｅｓ）、ＣＰＵ１０は、チューナ部２，復調部３，デコーダ４を制御して、アンテナ１から出力される放送信号からＥＰＧデータを取得させ、当該ＥＰＧデータから、物理チャンネルと放送局情報とを取得する（ステップＳ２）。
【００４０】
次に、ＣＰＵ１０は、更新プログラム１２Ｃの実行に基づいて、ステップＳ２において取得した物理チャンネルと放送局情報とに基づいて、チャンネルマップデータファイル１２Ａを更新した後（ステップＳ３）、計時を開始して、本処理を終了する。
【００４１】
次に、本発明に係るデジタル放送記録装置１００の予約動作について図４に示すフローチャートを参照しながら説明する。
まず、ＣＰＵ１０は、表示制御プログラム１２Ｄを実行することにより、ＯＳＤ回路８を制御して、予約画面Ｇをデコーダ４から出力される映像データに合成し、合成した映像データを表示装置２００に出力し、表示装置２００に当該予約画面Ｇを表示させる（ステップＳ１０１）。
【００４２】
次に、入力部７がユーザにより操作されることによって、表示装置２００の表示部に表示された予約画面Ｇにおいて、放送局名と予約時間とを指定する操作信号が入力されると（ステップＳ１０２）、ＣＰＵ１０は、予約プログラム１２Ｅを実行することにより、当該放送局名と予約時間とを対応づけて、予約データファイル１２Ｂに記憶させ（ステップＳ１０３）、本処理を終了する。
【００４３】
図５に、表示装置２００により表示される予約画面Ｇの一例を示す。予約画面Ｇには、例えば、放送局名をプルダウン表示するプルダウンメニューＰと、予約時間としての録画開始時間をプルダウン表示するプルダウンメニューＰ等が表示されている。
プルダウンメニューＰは、例えば、プルダウン表示された放送局名又は録画開始時間を表示するプルダウン表示部Ｈと、放送局名又は録画開始時間をプルダウン表示させるためのプルダウンボタンＢ等を備えて構成される。
【００４４】
図６に、図５に示す予約画面Ｇにおいて、プルダウンボタンＢが選択された場合の予約画面Ｇの一例を示す。図５の予約画面ＧにおいてプルダウンボタンＢが選択されると、ＡＢＣ−Ｎｅｗｓ，ＡＢＣ−Ｋｉｄｓ，ＢＢＣ，ＮＢＣ等の放送局名及び録画開始時間がプルダウン表示されるとともに、カーソルＫが表示され、ユーザが入力部７を操作することにより、カーソルＫが移動されて、ユーザが所望する放送局名及び録画開始時間が選択されるようになっている。
【００４５】
次に、本発明に係るデジタル放送記録装置１００の予約された番組の録画動作について図７に示すフローチャートを参照しながら説明する。
まず、ＣＰＵ１０は、録画プログラム１２Ｆを実行することにより、予約データファイル１２Ｂに記憶されている放送局名に基づいて、チャンネルマップデータファイル１２Ａから当該放送局名に対応する物理チャンネルを抽出する（ステップＳ２０１）。
【００４６】
次に、ＣＰＵ１０は、予約データファイル１２Ｂに記憶されている放送局名と、抽出した物理チャンネルの放送データに含まれる放送局情報の放送局名とを比較して一致するか否かを判断する（ステップＳ２０２）。
ステップＳ２０２において、ＣＰＵ１０が、予約データファイル１２Ｂに記憶されている放送局名と、抽出した物理チャンネルの放送データに含まれる放送局情報の放送局名とが一致しないと判断した場合には（ステップＳ２０２；Ｎｏ）、本処理を終了する。
ステップＳ２０２において、ＣＰＵ１０が、予約データファイル１２Ｂに記憶されている放送局名と、抽出した物理チャンネルの放送データに含まれる放送局情報の放送局名とが一致すると判断した場合には（ステップＳ２０２；Ｙｅｓ）、ＣＰＵ１０は、録画プログラム１２Ｆの実行に基づいて、ステップＳ２０１において抽出した物理チャンネルの予約時刻における放送データをＨＤＤ６に記憶することにより録画した後（ステップＳ２０３）、本処理を終了する。
【００４７】
以上に説明した本実施形態に係るテレビジョン放送受信装置１００によれば、チャンネルマップデータファイル１２Ａに、物理チャンネルと放送局名を含む放送局情報とが関連づけられて記憶され、入力部７により、放送局名と予約時刻が指定され、ＣＰＵ１０が録画プログラム１２Ｆを実行することにより、入力部７によって指定された放送局名に基づいてチャンネルマップデータファイル１２Ａから物理チャンネルが抽出され、抽出された物理チャンネルの予約時刻における放送データがＨＤＤ６に記憶されるので、録画予約を行う時点と予約時刻の時点とで所望する番組の放送局が使用しているチャンネルが変更されていても、チャンネルマップデータファイル１２Ａから予約時刻の時点における所望する番組の放送局が使用しているチャンネルが抽出されることとなって、所望する番組の録画予約をより確実に行うことができる。
また、予約の際、チャンネル番号を設定するよりも放送局名を設定する方が分かりやすいというユーザにとっては使いやすいものとなる。
【００４８】
また、ＣＰＵ１０が更新プログラム１２Ｃを実行することにより、デジタル放送によって伝送されるＥＰＧデータから物理チャンネルと放送局情報との対応関係が定期的に取得され、取得された物理チャンネルと放送局情報との対応関係に基づいてチャンネルマップデータファイル１２Ａの物理チャンネルと放送局情報とが更新されるので、チャンネルマップデータファイル１２Ａに記憶される物理チャンネルと放送局情報をより最新のものに更新することができる。
【００４９】
また、ＣＰＵ１０は、録画プログラム１２Ｆを実行することにより、入力部７により指定された放送局名と、チャンネルマップデータファイル１２Ａから抽出した物理チャンネルの放送データに含まれる放送局情報の放送局名とを比較して、一致している場合に予約時刻における放送データをＨＤＤ６に記憶するので、万が一、予約時刻におけるチャンネルマップデータファイル１２Ａに記憶されている情報が最新のものに更新されていなくても、放送データに含まれる放送局情報により放送局名の確認がなされることとなり、所望する番組とは異なる番組が誤って録画予約されることを防止することができる。
【００５０】
また、ＣＰＵ１０が表示制御プログラム１２Ｄを実行することにより、放送局名と予約時刻とを表示する予約画面Ｇが表示装置に表示され、入力部７により、予約画面Ｇにおいて放送局名と予約時刻とが指定されるので、ユーザは、予約画面Ｇを見ながら容易に放送局名と予約時刻とを選択して指定することができ、より好適に所望する番組の録画予約を行うことができる。
【００５１】
なお、本実施形態においては、ＣＰＵ１０が録画プログラム１２Ｆを実行することにより、入力部７により指定された放送局名とチャンネルマップデータファイル１２Ａから抽出した物理チャンネルの放送データに含まれる放送局情報の放送局名を比較することとしたが、必ずしも比較を行わなくてもよい。
チャンネルマップデータファイル１２Ａの更新は、定期的でなくとも、ユーザが更新を指定した時、或いは、電源がオンされた時など、不定期に実施しても良い。
【図面の簡単な説明】
【００５２】
【図１】本発明に係るデジタル放送記録装置の概略構成を示す図である。
【図２】本発明に係るデジタル放送記録装置の構成を示すブロック図である。
【図３】本発明に係るデジタル放送記録装置のチャンネルマップデータファイルの更新動作を説明するフローチャートである。
【図４】本発明に係るデジタル放送記録装置の予約動作を説明するフローチャートである。
【図５】本発明に係るデジタル放送記録装置の予約画面を説明する図である。
【図６】本発明に係るデジタル放送記録装置の予約画面を説明する図である。
【図７】本発明に係るデジタル放送記録装置の録画動作を説明するフローチャートである。
【符号の説明】
【００５３】
６  ＨＤＤ（記憶手段）
７  入力部（指定手段）
１０  ＣＰＵ（更新手段，表示制御手段，記憶制御手段）
１２  記憶部（チャンネルマップ記憶手段）
１２Ａ  チャンネルマップデータファイル（チャンネルマップ記憶手段）
１２Ｃ  更新プログラム（更新手段）
１２Ｄ  表示制御プログラム（表示制御手段）
１２Ｆ  録画プログラム（記憶制御手段）
１００  デジタル放送記録装置
２００  表示装置
【図１】
2007288339.tif 000003
【図２】
2007288339.tif 000004
【図３】
2007288339.tif 000005
【図４】
2007288339.tif 000006
【図５】
2007288339.tif 000007
【図６】
2007288339.tif 000008
【図７】
2007288339.tif 000009